(57)【要約】      （修正有）【課題】位相接点の傾き抑制を可能にしたダイヤル装置を有する撮像装置を提供する。【解決手段】外装カバーに取り付けられ位相数ｍの回転位相を有する回転ダイヤルと、回転ダイヤルと略同軸で略円周状に配設された複数のパターン部を有する基板部と、回転ダイヤルと略一体となって回転しパターン部と各々が電気的に導通する４つ以上の回転軌跡上に配設された複数の接点部を有する複数の接片部が配設された位相接片とを有し、各々の接片部にある少なくとも二つ以上の接点部を略直線で結んだｎ本の接点配置線は回転ダイヤルの回転中心点を通り、接点配置線のうち第一の接点配置線に対して他の接点配置線は各々が約３６０／ｎ°の間隔で略等角に配置されており、回転ダイヤルの位相数ｍが接点配置線の本数ｎの倍数でない場合は他の接点配置線上にある複数の接点部の回転軌跡上にあるパターン部だけ第一の接点配置線に対して１／ｎ位相ずれている。【選択図】図１
2018054661.tif 000002
【特許請求の範囲】
【請求項１】
外装カバーと、
前記外装カバーに取り付けられ、位相数ｍの回転位相を有する回転ダイヤルと、
前記外装カバーに取り付けられ、前記回転ダイヤルと同軸で円周状に配設された複数のパターン部を有する基板部と、
前記回転ダイヤルに固定され、前記回転ダイヤルと一体となって回転し、前記パターン部と各々が電気的に導通する４つ以上の回転軌跡上に配設された複数の接点部を有する複数の接片部が配設された位相接片と、を有する撮像装置において、
各々の前記接片部にある、少なくとも二つ以上の前記接点部を直線で結んだｎ本の接点配置線は、前記回転ダイヤルの回転中心点を通り、
前記接点配置線のうち、第一の接点配置線に対して、他の接点配置線は、各々が３６０／ｎ°の間隔で等角に配置されており、
前記回転ダイヤルの位相数ｍが前記接点配置線の本数ｎの倍数でない場合は、前記他の接点配置線上にある複数の接点部の回転軌跡上にある前記パターン部だけ、前記第一の接点配置線に対して１／ｎ位相ずれていることを特徴とする撮像装置。
【請求項２】
前記接点配置線が二本の場合に、前記接片部のうち、
一方の接片部には、第一の接点配置線上に、第一接点部と第三接点部が配置されており、
他方の前記接片部には、第二の接点配置線上に、第二接点部と、前記回転ダイヤルの位相に関わらずグランドパターンと導通するグランド接点部が配置されており、
前記回転ダイヤルの位相数ｍが奇数の場合に、前記パターン部（のうち、前記第二接点部の回転軌跡上のみ、前記第一の接点配置線に対して１／２位相ずれていることを特徴とする請求項１に記載の撮像装置。
【発明の詳細な説明】
【技術分野】
【０００１】
本発明は、位相接片がプリント基板に形成された導電パターン上を摺動し、該位相接片と導電パターンとの通電状態に応じて回転を検知する回転検出器を有する撮像装置に関する。
【背景技術】
【０００２】
従来、デジタルカメラやビデオカメラ、携帯情報端末といった電子機器には、動作モードや各種設定を行うためのダイヤル装置が設けられている場合が多い。ダイヤル装置には、機器本体側に導電パターンを設けた基板を固定するとともに、ダイヤルに上記導電パターンに対して摺動する板ばね状の位相接片を固定して構成されているものがある。このダイヤル装置は、導電パターンと位相接片との通電状態を検出することによって、ダイヤルの回転位相を検出する回転検出器としての機能を有している。
【０００３】
近年、電子機器の機能の多様化に伴い、ダイヤル装置が検出すべき位相数が増加する傾向にあり、位相接片のブラシの本数も増加傾向にある。特許文献１には、位相接片の回転方向の一方向に延出形成される第１のブラシと、回転方向と直交する方向で第１のブラシと並ぶように、他方向に延出形成される第２のブラシを有するダイヤル装置が開示されている。
【先行技術文献】
【特許文献】
【０００４】
【特許文献１】特開２０１４−１４２２７６号公報
【発明の概要】
【発明が解決しようとする課題】
【０００５】
しかしながら、上述の特許文献１に開示された従来技術では、位相接片の接点部が回転軸に対して片側に集中しているため、接点部によるばね圧で位相接片全体が傾いてしまい、外周付近の接点圧が低下して接触不良が生じる可能性がある。
【０００６】
そこで、本発明の目的は、位相接片の接点部を均等配置することで位相接片の傾き抑制を可能にしたダイヤル装置を有する撮像装置を提供することにある。
【課題を解決するための手段】
【０００７】
上記の目的を達成するために、本発明に係る撮像装置は、
外装カバー（４）と、
前記外装カバー（４）に取り付けられ、位相数ｍの回転位相を有する回転ダイヤル（３）と、
前記外装カバー（４）に取り付けられ、前記回転ダイヤル（３）と略同軸で略円周状に配設された複数のパターン部（５ｂ，５ｃ，５ｄ，５ｅ，５ｆ）を有する基板部（５）と、
前記回転ダイヤル（３）に固定され、前記回転ダイヤル（３）と略一体となって回転し、前記パターン部（５ｂ，５ｃ，５ｄ，５ｅ，５ｆ）と各々が電気的に導通する４つ以上の回転軌跡上に配設された複数の接点部（６ａ，６ｂ，６ｃ，６ｄ，６ｅ，６ｆ）を有する複数の接片部（６−１，６−２，６−３）が配設された位相接片（６）と、
を有する撮像装置（１）において、
各々の前記接片部（６−１，６−２，６−３）にある、少なくとも二つ以上の前記接点部（６ａ，６ｂ，６ｃ，６ｄ，６ｅ，６ｆ）を略直線で結んだｎ本の接点配置線（Ｌ１，Ｌ２，Ｌ３）は、前記回転ダイヤル（３）の回転中心点を通り、
前記接点配置線（Ｌ１，Ｌ２，Ｌ３）のうち、第一の接点配置線（Ｌ１）に対して、他の接点配置線（Ｌ２，Ｌ３）は、各々が約３６０／ｎ°の間隔で略等角に配置されており、
前記回転ダイヤル（３）の位相数ｍが前記接点配置線（Ｌ１，Ｌ２，Ｌ３）の本数ｎの倍数でない場合は、前記他の接点配置線（Ｌ２，Ｌ３）上にある複数の接点部（６ａ，６ｂ，６ｃ，６ｄ，６ｅ，６ｆ）の回転軌跡上にある前記パターン部（５ｂ，５ｃ，５ｄ，５ｅ，５ｆ）だけ、前記第一の接点配置線（Ｌ１）に対して１／ｎ位相ずれていることを特徴とする。
【発明の効果】
【０００８】
本発明によれば、位相接片の接点部を均等配置することで位相接片の傾き抑制を可能にしたダイヤル装置を有する撮像装置を提供することができる。
【図面の簡単な説明】
【０００９】
【図１】本発明に係る撮像装置の実施形態の一例である位相接片と位相部の関係を示す正面図である。
【図２】本発明に係る第一，第二の実施例のデジタル一眼レフカメラの斜視図である。
【図３】本発明に係る第一，第二の実施例のモードダイヤルユニットの分解斜視図である。
【図４】本発明に係る第一の実施例の位相接片の正面図およびフレキシブルプリント基板の位相部周辺の正面図である。
【図５】本発明に係る第一の実施例の位相接片とモードダイヤルの回転位相の範囲の関係を示す図である。
【図６】本発明に係る第二の実施例の位相接片の正面図である。
【図７】本発明に係る第二の実施例の位相接片と位相の範囲の関係を示す図である。
【発明を実施するための形態】
【００１０】
以下に、本発明の好ましい実施の形態を、添付の図面に基づいて詳細に説明する。
［実施例１］
図２は本発明に係る撮像装置の実施形態の一例であるデジタル一眼レフカメラ（以下、カメラという）の斜視図である。１はカメラであり、カメラ１の上面には、撮影における種々の撮影条件を設定するモードダイヤルユニット２が配置されている。
【００１１】
図３はモードダイヤルユニット２の分解斜視図である。モードダイヤル３は、時計回り、もしくは反時計回りに回転させることで、シャッター速度優先モード（Ｔｖモード）、絞り値優先モード（Ａｖモード）など撮影条件を設定する撮影モードを選択することができる。モードダイヤル３は本発明の回転ダイヤルに相当する。４はカメラ上面側に備えられた外装（以下、上カバーという）であり、本発明の外装カバーに相当する。５はフレキシブルプリント基板であり、本発明の基板部に相当する。５ａはフレキシブルプリント基板５に設けられたパターン部（以下、位相部という）である。
【００１２】
６は位相接片、７はクリック板であり、位相接片６はクリック板７に熱加締めにて一体化されている。ここで、位相接片６は本発明の位相接片に相当する。クリック板７には、モードダイヤル３の回転位相（本実施例では１３位相）と同数の谷部があり、この谷部にクリックボール８が係合することで、モードダイヤル３の回転操作にクリック感を発生させる。コイルばね９はクリックボール８をクリック板７に付勢させる役割を有する。
【００１３】
モードダイヤルキャップ１０はモードダイヤル３に接着固定されており、モードダイヤル３の回転位相と同数の絵柄が印刷されている。モードダイヤルキャップ１０の絵柄と上カバー４の指標４ａを合わせることで、撮影者にどの撮影モードが選択されているかを明示する。電源レバー１１はカメラ１の電源をＯＮ／ＯＦＦ操作するための部材である。また、板ばね１２は、電源レバー１１に係合し、電源ＯＮ／ＯＦＦ操作時にクリック感を発生させる。
【００１４】
図４は位相接片６の正面図およびフレキシブルプリント基板５の位相部５ａ周辺の正面図である。図４（ａ）に示すように、位相接片６は、弾性を持った第１の接片部６−１と、同じく弾性を持った第２の接片部６−２を有している。ここで、第１の接片部６−１と第２の接片部６−２は本発明の接片部に相当する。第１の接片部６−１の先端には接点６ａと接点６ｃがあり、第２の接片部６−２の先端には接点６ｂとグランド（以下、ＧＮＤという）接点６ｄがある。接点６ａ，６ｂ，６ｃ，ＧＮＤ接点６ｄは本発明の複数の接点部に相当し、特に、ＧＮＤ接点６ｄは本発明のグランド接点部に相当する。
【００１５】
接点６ａと６ｃを結ぶ第１の接点直線Ｌ１、接点６ｂとＧＮＤ接点６ｄを結ぶ第２の接点直線Ｌ２は共にモードダイヤル３の回転中心を通る一直線上にある。ここで、第１の接点直線Ｌ１および第２の接点直線Ｌ２は本発明の接点配置線に相当する。ただし、モードダイヤル３の回転中心から各接点までの距離は全て異なっており、各接点６ａから６ｃ，ＧＮＤ接点６ｄの回転軌跡４本は互いに重ならない配置になっている。また、全ての接点６ａから６ｃ，ＧＮＤ接点６ｄは各々が２つの分割接点を有している。これは、どちらかの分割接点がゴミなどの異物により、位相部５ａと導通できない場合でも、もう一方の分割接点で導通を保たせるためである。
【００１６】
接点６ａから６ｃ，ＧＮＤ接点６ｄは、モードダイヤル３を回転させるごとに図４（ｂ）に示す位相部５ａに形成された導電パターン５ｂ，５ｃ，５ｄ，５ｅ，ＧＮＤパターン５ｆ上を摺動する。導電パターン５ｂ，５ｃ，５ｄ，５ｅ，ＧＮＤパターン５ｆは本発明のパターン部に相当し、特に、ＧＮＤパターン５ｆは、本発明のグランドパターンに相当する。導電パターン５ｂ，５ｃ，５ｄ，５ｅ，ＧＮＤパターン５ｆは、接点６ａから６ｃ，ＧＮＤ接点６ｄの回転軌跡上に配置され、特にＧＮＤ接点６ｄの回転軌跡上は、全てＧＮＤパターン５ｆが配置されている。
【００１７】
図１は位相接片６と位相部５ａの関係を示す正面図である。モードダイヤル３が或る位相に静止しているとき、即ち、クリックボール８がクリック板７の外形の谷にあるとき、接点６ａから６ｃ，ＧＮＤ接点６ｄは、位相部５ａに対して例えば図１（ａ）に示す位相に位置する。このとき、接点６ａから６ｃ，ＧＮＤ接点６ｄは、全てＧＮＤパターン５ｆに接触している。このため、導電パターン５ｂから５ｅのそれぞれを介して不図示の制御部に入力される信号はいずれもＨＩＧＨ信号となる。
【００１８】
図１（ａ）から反時計回りに１位相分回転すると（図１（ｂ））、接点６ｃがＧＮＤパターン５ｆから、導電パターン５ｃ上に移動する。接点６ａ、６ｂ、ＧＮＤ接点６ｄはＧＮＤパターン５ｆ上のままである。このとき、導電パターン５ｃの信号だけＬＯＷ信号に切り替わり、導電パターン５ｂ，５ｄ，５ｅの信号はいずれもＨＩＧＨ信号のままとなる。
【００１９】
このように、モードダイヤル３の回転操作が行われる度に、接点６ａから６ｃ，ＧＮＤ接点６ｄは、位相部５ａに形成された導電パターン５ｂから５ｅ、ＧＮＤパターン５ｆ上を摺動しながら回転する。回転するごとに切り替わる信号に応じて、不図示の制御部は、モードダイヤル３の回転方向と位相を認識し、カメラ１の種々の撮影条件を変化させる。
【００２０】
図５は位相接片６とモードダイヤル３の回転位相の範囲の関係を示す図である。図５において、５ａ′は各接点６ａから６ｃ，ＧＮＤ接点６ｄの回転軌跡をモードダイヤル３の回転位相数で分割した範囲を模式的に示したものである。５ａ′間のスリット部分は、モードダイヤル３の回転位相が切り替わる位置を表す。
【００２１】
本実施例でのモードダイヤル３の回転位相数は１３位相としている。そのため、位相部５ａを略等角に１３分割すると、図５（ａ）のようになる。この場合、第１の接片部６−１と第２の接片部６−２を均等配置してしまうと、第１の接片部６−１の接点直線Ｌ１が、モードダイヤル３の回転位相が切り替わる位置に来た場合、第２の接片部６−２の接点直線Ｌ２は、モードダイヤル３の回転位相が切り替わる位置に対し１／２位相にあたる角度δだけ回転した位置に来る。
【００２２】
５ａ′に導電パターン５ｂから５ｅ、ＧＮＤパターン５ｆを配置した場合、図５（ａ）では接点直線Ｌ２がモードダイヤル３の回転位相が切り替わる位置に対し角度δずれているために、接点直線Ｌ２上にある接点６ｂとＧＮＤ接点６ｄは位相の切り替わりが行われない。それにより、不図示の制御部は、モードダイヤル３の回転方向と位相を認識できず、カメラ１の種々の撮影条件を正しく変化させられなくなってしまうため、第１の接片部６−１と第２の接片部６−２を均等配置することができない。
【００２３】
しかしながら、本発明では、前述の通り接点６ａから６ｃ，ＧＮＤ接点６ｄは回転軌跡が重なっていないため、図５（ｂ）のように接点直線Ｌ２上にある接点６ｂの回転軌跡上のみ、５ａ′の範囲を角度δ分ずらすことができる。これにより、接点直線Ｌ１と接点直線Ｌ２が共にードダイヤル３の回転位相が切り替わる位置となり、全ての接点６ａから６ｃ，ＧＮＤ接点６ｄで位相の切り替わりが行われる。
【００２４】
なお、接点６ｂと同じ接点直線Ｌ２上にあるＧＮＤ接点６ｄの回転軌跡上は、全てＧＮＤパターン５ｆが配置されるため、５ａ′間のスリット部分が存在しないので、角度δ分ずらす必要はない。これによって、モードダイヤル３の位相数が接点直線Ｌ１，Ｌ２の本数の倍数でなくても、第１の接片部６−１と第２の接片部６−２を均等配置することができ、位相接片６の傾きを抑制することができる。
【００２５】
［実施例２］
以下、図６から図７を参照して、本発明の第２の実施例について説明する。図２から図３は先述した実施例１と共通のため、説明は割愛する。図６は位相接片６の正面図である。図６に示すように、位相接片６は、弾性を持った第１の接片部６−１と、同じく弾性を持った第２の接片部６−２、第３の接片部６−３を有している。ここで、第１の接片部６−１と第２の接片部６−２、第３の接片部６−３は本発明の接片部に相当する。
【００２６】
第１の接片部６−１の先端には接点６ａとＧＮＤ接点６ｄがあり、第２の接片部６−２の先端には接点６ｂとＧＮＤ接点６ｅ、第３の接片部６−３の先端には接点６ｃとＧＮＤ接点６ｆがある。接点６ａ，６ｂ，６ｃ，ＧＮＤ接点６ｄ，６ｅ，６ｆは本発明の複数の接点部に相当し、特に、ＧＮＤ接点６ｄ，６ｅ，６ｆは本発明のグランド接点部に相当する。
【００２７】
接点６ａとＧＮＤ接点６ｄを結ぶ接点直線Ｌ１、接点６ｂとＧＮＤ接点６ｅを結ぶ接点直線Ｌ２、接点６ｃとＧＮＤ接点６ｆを結ぶ接点直線Ｌ３は全てモードダイヤル３の回転中心を通り、各々の接点直線間の角度が約１２０°になるように等角に配置されている。ここで、接点直線Ｌ１，Ｌ２，Ｌ３は本発明の接点配置線に相当する。ただし、モードダイヤル３の回転中心から接点６ａ，６ｂ，６ｃまでの距離は全て異なっており、各接点６ａから６ｃの回転軌跡３本は互いに重ならない配置になっている。
【００２８】
モードダイヤル３の回転中心からＧＮＤ接点６ｄ，６ｅ，６ｆまでの各距離は略同一であり、接点６ａから６ｃの回転軌跡とは異なる１本の回転軌跡上に配置されている。つまり、接点６ａ，６ｂ，６ｃ，ＧＮＤ接点６ｄ，６ｅ，６ｆの回転軌跡は合計で４本となる。また、接点６ａから６ｃは各々が２つの分割接点を有している。これは、どちらかの分割接点がゴミなどの異物により、位相部５ａと導通できない場合でも、もう一方の分割接点で導通を保たせるためである。ＧＮＤ接点６ｄから６ｆは何れかの接点で導通を保たせることができるので分割接点は有していない。
【００２９】
実施例１と同様に、接点６ａから６ｃ，ＧＮＤ接点６ｄから６ｆは、モードダイヤル３を回転させるごとに図４（ｂ）に示す位相部４ａに形成された導電パターン５ｂ，５ｃ，５ｄ，５ｅ，ＧＮＤパターン５ｆ上を摺動する。導電パターン５ｂ，５ｃ，５ｄ，５ｅ，ＧＮＤパターン５ｆは本発明のパターン部に相当し、特に、ＧＮＤパターン５ｆは、本発明のグランドパターンに相当する。導電パターン５ｂ，５ｃ，５ｄ，５ｅ，ＧＮＤパターン５ｆは、接点６ａから６ｃの回転軌跡上に配置され、特にＧＮＤ接点６ｄ，６ｅ，６ｆの回転軌跡上は、全てＧＮＤパターン５ｆが配置されている。なお、信号の切り替わりについては先述した実施例１と共通のため、説明は割愛する。
【００３０】
図７は位相接片６とモードダイヤル３の回転位相の範囲の関係を示す図である。図７において、５ａ′は各接点６ａから６ｃ，ＧＮＤ接点６ｄから６ｆの回転軌跡をモードダイヤル３の回転位相数で分割した範囲を模式的に示したものである。５ａ′間のスリット部分は、モードダイヤル３の回転位相が切り替わる位置を表す。
【００３１】
本実施例でのモードダイヤル３の回転位相数は１３位相としている。そのため、位相部５ａを略等角に１３分割すると、図７（ａ）のようになる。この場合、第１の接片部６−１と第２の接片部６−２、第３の接片部６−３を均等配置してしまうと、第１の接片部６−１の接点直線Ｌ１が、モードダイヤル３の回転位相が切り替わる位置に来た場合、第２の接片部６−２の接点直線Ｌ２は、モードダイヤル３の回転位相が切り替わる位置に対し１／３位相にあたる角度δ２だけ回転した位置に来る。第３の接片部６−３の１接点直線Ｌ２は、モードダイヤル３の回転位相が切り替わる位置に対し２／３位相にあたる角度δ３だけ回転した位置に来る。
【００３２】
５ａ′に導電パターン５ｂから５ｅ、ＧＮＤパターン５ｆを配置した場合、図７（ａ）では接点直線Ｌ２がモードダイヤル３の回転位相が切り替わる位置に対し角度δ２ずれているために、接点直線Ｌ２上にある接点６ｂとＧＮＤ接点６ｅは位相の切り替わりが行われない。また、接点直線Ｌ３もモードダイヤル３の回転位相が切り替わる位置に対し角度δ３ずれているために、接点直線Ｌ３上にある接点６ｃとＧＮＤ接点６ｆも位相の切り替わりが行われない。それにより、不図示の制御部は、モードダイヤル３の回転方向と位相を認識できず、カメラ１の種々の撮影条件を正しく変化させられなくなってしまうため、第１の接片部６−１と第２の接片部６−２、第３の接片部６−３を均等配置することができない。
【００３３】
しかしながら、本発明では、前述の通り接点６ａから６ｃは回転軌跡が重なっていないため、図７（ｂ）のように接点直線Ｌ２上にある接点６ｂの回転軌跡上は、５ａ′の範囲を角度δ２分ずらすことができる。同様に、接点直線Ｌ３上にある接点６ｃの回転軌跡上は、５ａ′の範囲を角度δ３分ずらすことができる。これにより、接点直線Ｌ１と接点直線Ｌ２、接点直線Ｌ３が共にモードダイヤル３の回転位相が切り替わる位置となり、全ての接点６ａから６ｃ，ＧＮＤ接点６ｄから６ｆで位相の切り替わりが行われる。
【００３４】
なお、ＧＮＤ接点６ｄから６ｆの回転軌跡上は、全てＧＮＤパターン５ｆが配置されるため、５ａ′間のスリット部分が存在しないので、角度δ２、角度δ３分ずらす必要はない。これによって、モードダイヤル３の位相数が接接点直線Ｌ１，Ｌ２，Ｌ３の本数の倍数でなくても第１の接片部６−１と第２の接片部６−２、第３の接片部６−３を均等配置することができ、位相接片６の傾きを抑制することができる。
【００３５】
以上、本発明の好ましい実施形態について説明したが、本発明はこれらの実施形態に限定されず、その要旨の範囲内で種々の変形及び変更が可能である。
【符号の説明】
【００３６】
１  カメラ、３  モードダイヤル、  上カバー、５  フレキシブルプリント基板、５ｂ〜５ｆ  導電パターン、５ｆ  ＧＮＤパターン、６  位相接片、６−１  第１の接片部、６−２  第２の接片部、６−３  第３の接片部、６ａ〜６ｆ  接点、６ｄ〜６ｆ  ＧＮＤ接点、Ｌ１  第１の接点直線、Ｌ２  第２の接点直線、Ｌ３  第３の接点直線
【図１】
2018054661.tif 000003
【図２】
2018054661.tif 000004
【図３】
2018054661.tif 000005
【図４】
2018054661.tif 000006
【図５】
2018054661.tif 000007
【図６】
2018054661.tif 000008
【図７】
2018054661.tif 000009